(57)【要約】      （修正有）【課題】異なる周波数帯域の無線信号を同時に送受信するアンテナモジュール及び端末機器を提供する。【解決手段】アンテナモジュールは、第１の放射体１０１ａと、導電性シート１０２と、グランド給電点１０３と、第１の給電点１０４と、少なくとも１つの第２の給電点１０５と、を含む。導電性シート１０２は、第１の放射体１０１ａに接続され、グランド給電点１０３は、導電性シート１０２に接続され、第１の給電点１０４は、第１の放射体１０１ａに接続され、第１の周波数帯域の無線信号を放射および受信するための経路を形成する。少なくとも１つの第２の給電点１０５は、第１の給電点１０４とは離間して設置され、グランド給電点１０３とは異なる位置で導電性シート１０２に接続され、第２の周波数帯域の無線信号を放射および受信するための経路を形成する。第１の周波数帯域の中心周波数は、第２の周波数帯域の中心周波数と等しくない。【選択図】図１
2022003755.tif 000002
【特許請求の範囲】
【請求項１】
アンテナモジュールであって、
第１の放射体と、導電性シートと、グランド給電点と、第１の給電点と、少なくとも１つの第２の給電点と、を含み、
前記導電性シートは、前記第１の放射体に接続され、
前記グランド給電点は、前記導電性シートに接続され、
前記第１の給電点は、前記第１の放射体に接続され、前記第１の給電点、前記第１の放射体、前記導電性シート、および前記グランド給電点が組み合わされて、第１の周波数帯域の無線信号を放射および受信するための経路を形成し、
前記少なくとも１つの第２の給電点は、前記第１の給電点とは離間して設置され、前記グランド給電点とは異なる位置で前記導電性シートに接続され、前記第２の給電点、前記導電性シート、および前記第１の放射体が組み合わされて、第２の周波数帯域の無線信号を放射および受信するための経路を形成し、
前記第１の周波数帯域の中心周波数は、前記第２の周波数帯域の中心周波数と等しくない、
ことを特徴とするアンテナモジュール。
【請求項２】
前記第１の放射体との間にギャップを有し、前記第１の放射体と結合される少なくとも１つの第２の放射体をさらに含む、
ことを特徴とする請求項１に記載のアンテナモジュール。
【請求項３】
前記第１の給電点に接続され、前記第１の周波数帯域の無線信号を通過させ、前記第２の周波数帯域の無線信号をフィルタして除去するための第１のフィルタネットワークをさらに含む、
ことを特徴とする請求項１または２に記載のアンテナモジュール。
【請求項４】
前記第１のフィルタネットワークは、前記第１の給電点に直列接続される第１のインダクタと、前記第１の給電点に並列接続される第１のコンデンサと、を含む、
ことを特徴とする請求項３に記載のアンテナモジュール。
【請求項５】
前記第１のインダクタのインダクタンス値及び前記第１のコンデンサの容量値は、前記第１の周波数帯域の無線信号に基づいて決定される、
ことを特徴とする請求項４に記載のアンテナモジュール。
【請求項６】
前記第２の給電点に接続され、前記第２の周波数帯域の無線信号を通過させ、前記第１の周波数帯域の無線信号をフィルタして除去するための第２のフィルタネットワークをさらに含む、
ことを特徴とする請求項１または２に記載のアンテナモジュール。
【請求項７】
前記第２のフィルタネットワークは、第２のコンデンサと、第３のコンデンサと、第２のインダクタと、を含み、前記第２のコンデンサは前記第２の給電点に接続され、前記第３のコンデンサは前記第２のインダクタと前記第２のコンデンサとの間に接続される、
ことを特徴とする請求項６に記載のアンテナモジュール。
【請求項８】
前記第２のコンデンサの容量値、前記第３のコンデンサの容量値、及び前記第２のインダクタのインダクタンス値は、前記第２の周波数帯域の無線信号に基づいて決定される、
ことを特徴とする請求項７に記載のアンテナモジュール。
【請求項９】
前記グランド給電点に接続される同調コンポーネントをさらに含み、
前記同調コンポーネントは、スイッチ部材を含み、前記スイッチ部材がオン状態とオフ状態とにある場合、前記同調コンポーネントは異なるインピーダンスを有し、
前記アンテナモジュールは、前記異なるインピーダンスに応じて第１の周波数帯域における異なるサブ周波数帯域の無線信号を送受信する、
ことを特徴とする請求項１または２に記載のアンテナモジュール。
【請求項１０】
端末機器であって、
請求項１〜９のいずれかに記載のアンテナモジュールを含む、
ことを特徴とする端末機器。
【請求項１１】
前記アンテナモジュールは、第１の放射体と第２の放射体とを含み、
前記端末機器は、フレームをさらに含み、
前記第１の放射体と前記第２の放射体は、前記フレームの同じエッジの異なる部分であり、または、前記第１の放射体と前記第２の放射体は、それぞれ前記フレームの異なるエッジの部分である、
ことを特徴とする請求項１０に記載の端末機器。
【請求項１２】
前記第１の放射体と前記第２の放射体に対応する異なる部分のフレームの間にギャップを有する、
ことを特徴とする請求項１０に記載の端末機器。
【発明の詳細な説明】
【技術分野】
【０００１】
本開示は、通信技術分野に関し、特にアンテナモジュール及び端末機器に関する。
【背景技術】
【０００２】
通信技術の急速な発展と通信需要の増加に伴い、端末機器は第５世代モバイル通信技術（ｔｈｅ  ５ｔｈ  Ｇｅｎｅｒａｔｉｏｎ  ｍｏｂｌｅ  ｃｏｍｍｕｎｉｃａｔｉｏｎ  ｔｅｃｈｎｏｌｏｇｙ、５Ｇ）の時代に入っている。同じの端末機器の外観サイズでは、端末機器に５Ｇ信号を送受信するためのアンテナモジュールのレイアウトスペースを増加する必要があり、これは端末機器のフルスクリーン、デュアルスピーカ、デュアルマイク、大容量のバッテリ、少ないスロットに対する要求とますます矛盾し、アンテナモジュールのレイアウトが難しく、大きな端末機器のスペースを占めるという問題がある。
【発明の概要】
【発明が解決しようとする課題】
【０００３】
本開示は、アンテナモジュール及び端末機器を提供する。
【課題を解決するための手段】
【０００４】
本開示の実施例の第１の側面によれば、アンテナモジュールを提供し、第１の放射体と、導電性シートと、グランド給電点と、第１の給電点と、少なくとも１つの第２の給電点と、を含み、前記導電性シートは、前記第１の放射体に接続され、前記グランド給電点は、前記導電性シートに接続され、前記第１の給電点は、前記第１の放射体に接続され、前記第１の給電点、前記第１の放射体、前記導電性シート、および前記グランド給電点が組み合わされて、第１の周波数帯域の無線信号を放射および受信するための経路を形成し、前記少なくとも１つの第２の給電点は、前記第１の給電点とは離間して設置され、前記グランド給電点とは異なる位置で前記導電性シートに接続され、前記第２の給電点、前記導電性シート、および前記第１の放射体が組み合わされて、第２の周波数帯域の無線信号を放射および受信するための経路を形成し、前記第１の周波数帯域の中心周波数は、前記第２の周波数帯域の中心周波数と等しくない。
【０００５】
いくつかの実施例において、前記アンテナモジュールは、前記第１の放射体との間にギャップを有し、前記第１の放射体と結合される少なくとも１つの第２の放射体をさらに含む。
【０００６】
いくつかの実施例において、前記アンテナモジュールは、前記第１の給電点に接続され、前記第１の周波数帯域の無線信号を通過させ、前記第２の周波数帯域の無線信号をフィルタして除去するための第１のフィルタネットワークをさらに含む。
【０００７】
いくつかの実施例において、前記第１のフィルタネットワークは、前記第１の給電点に直列接続される第１のインダクタと、前記第１の給電点に並列接続される第１のコンデンサと、を含む。
【０００８】
いくつかの実施例において、前記第１のインダクタのインダクタンス値及び前記第１のコンデンサの容量値は、前記第１の周波数帯域の無線信号に基づいて決定される。
【０００９】
いくつかの実施例において、前記アンテナモジュールは、前記第２の給電点に接続され、前記第２の周波数帯域の無線信号を通過させ、前記第１の周波数帯域の無線信号をフィルタして除去するための第２のフィルタネットワークをさらに含む。
【００１０】
いくつかの実施例において、前記第２のフィルタネットワークは、第２のコンデンサと、第３のコンデンサと、第２のインダクタと、を含み、前記第２のコンデンサは前記第２の給電点に接続され、前記第３のコンデンサは前記第２のインダクタと前記第２のコンデンサとの間に接続される。
【００１１】
いくつかの実施例において、前記第２のコンデンサの容量値、前記第３のコンデンサの容量値、及び前記第２のインダクタのインダクタンス値は、前記第２の周波数帯域の無線信号に基づいて決定される。
【００１２】
いくつかの実施例において、前記アンテナモジュールは、前記グランド給電点に接続される同調コンポーネントをさらに含み、前記同調コンポーネントは、スイッチ部材を含み、前記スイッチ部材がオン状態とオフ状態にある場合、前記同調コンポーネントは異なるインピーダンスを有し、前記アンテナモジュールは、前記異なるインピーダンスに応じて第１の周波数帯域における異なるサブ周波数帯域の無線信号を送受信する。
【００１３】
本開示の実施例の第２の側面によれば、上記の第１の側面におけるアンテナモジュールを含む端末機器を提供する。
【００１４】
いくつかの実施例において、前記アンテナモジュールは、第１の放射体と第２の放射体とを含み、前記端末機器は、フレームをさらに含み、前記第１の放射体と前記第２の放射体は、前記フレームの同じエッジの異なる部分であり、または、前記第１の放射体と前記第２の放射体は、それぞれ前記フレームの異なるエッジの部分である。
【００１５】
いくつかの実施例において、前記第１の放射体と前記第２の放射体に対応する異なる部分のフレームの間にギャップを有する。
【発明の効果】
【００１６】
本開示の実施例によって提供される技術的手段は、以下の有益な効果を含むことができる。
本開示の実施例において、第１の給電点、第１の放射体、導電性シート、およびグランド給電点が組み合わされて、第１の周波数帯域の無線信号を放射および受信するための経路を形成し、第２の給電点、第１の放射体、および導電性シートが組み合わされて、第２の周波数帯域の無線信号を放射および受信するための経路を形成する。つまり、異なる周波数帯域に対応する経路は導電性シート及び第１の放射体を共用する。このようにして、本開示の実施例は、導電性シートに接続される第２の給電点を増加するだけで、アンテナモジュールは、第１の周波数帯域の無線信号を放射および受信するうえに、第２の周波数帯域の無線信号も放射および受信できることを実現することができ、導電性シート及び第１の放射体を共用することによって、アンテナモジュールが異なる周波数帯域の無線信号を同時に送受信するニーズを実現することができる。また、本開示の実施例は、第１の放射体及び導電性シートを共用することによって、第１の周波数帯域に対応する放射体及び第２の周波数帯域に対応する放射体をそれぞれ設置する必要がなく、放射体の設置数を減少させ、アンテナモジュールが端末機器を占めるスペースを低減し、端末機器のスペース利用率を向上させる。
【００１７】
なお、上記一般的な説明及び以下の詳細な説明は、単に例示及び解釈するものであり、本開示を限定するものではない。
【図面の簡単な説明】
【００１８】
ここの図面は、本明細書に組み込まれて本明細書の一部を構成し、本開示に適した実施例を示しており、明細書と共に、本開示の原理を説明するのに用いられる。
【００１９】
【図１】例示的な一実施例によって示されるアンテナモジュールの第１の概略図である。
【図２】例示的な一実施例によって示されるアンテナモジュールの第２の概略図である。
【図３】例示的な一実施例によって示されるアンテナモジュールの配線図である。
【図４】例示的な一実施例によって示されるアンテナモジュールのリターンロスの第１の概略図である。
【図５】例示的な一実施例によって示されるアンテナモジュールのリターンロスの第２の概略図である。
【図６】例示的な一実施例によって示される端末機器のブロック図である。
【発明を実施するための形態】
【００２０】
ここで、図面に示されている例示的な実施例を詳しく説明する。以下の説明は、図面に係る場合に、他の説明がない限り、異なる図面における同じ数字は、同一又は類似の要素を表す。以下の例示的な実施例に記載されている実施形態は、本開示と一致する全ての実施形態を表すものではない。それらは、添付の特許請求の範囲に詳しく記載された本開示の一部と一致する装置及び方法の例だけである。
【００２１】
図１は、例示的な一実施例によって示されるアンテナモジュールの第１の概略構成図である。図１に示すように、アンテナモジュールは、第１の放射体１０１ａと、導電性シート１０２と、グランド給電点１０３と、第１の給電点１０４と、少なくとも１つの第２の給電点１０５と、を含み、導電性シート１０２は、第１の放射体１０１ａに接続され、グランド給電点１０３は、導電性シート１０２に接続され、第１の給電点１０４は、第１の放射体に接続され、第１の給電点１０４、第１の放射体１０１ａ、導電性シート１０２、およびグランド給電点１０３が組み合わされて、第１の周波数帯域の無線信号を放射および受信するための経路を形成し、少なくとも１つの第２の給電点１０５は、第１の給電点１０４とは離間して設置され、グランド給電点１０３とは異なる位置で導電性シート１０２に接続され、第２の給電点１０５、導電性シート１０２、および第１の放射体１０１ａが組み合わされて、第２の周波数帯域の無線信号を放射および受信するための経路を形成し、第１の周波数帯域の中心周波数は、第２の周波数帯域の中心周波数と等しくない。
【００２２】
本開示の実施例において、アンテナモジュールは、機器間の通信を実現することができ、スマートフォン、タブレット、スマートウォッチなどの端末機器で広く使用される。
【００２３】
上記の第１の放射体は、導電性シート及び第１の給電点にそれぞれ接続され、無線信号を放射および受信することに用いられる。当該第１の放射体は、フレキシブル回路基板（Ｆｌｅｘｉｂｌｅ  Ｐｒｉｎｔｅｄ  Ｃｉｒｃｕｉｔ、ＦＰＣ）であってもよく、レーザ直接構造化技術（Ｌａｓｅｒ  Ｄｉｒｅｃｔ  Ｓｔｒｕｃｔｕｒｉｎｇ、ＬＤＳ）によって形成された構造であってもよい。
【００２４】
もちろん、本開示の実施例は、端末機器の導電性フレームまたは導電性バックシェルを第１の放射体とすることもでき、このようにして第１の放射体が端末機器を占めるスペースを低減することができる。
【００２５】
なお、第１の放射体がＦＰＣであり、アンテナモジュールがスマートフォンに設置される場合、第１の放射体は端末機器のプリント回路基板とバックカバーとの間に位置することができ、第１の放射体がＬＤＳで形成された構造であり、アンテナモジュールがスマートフォンに設置される場合、第１の放射体はＬＤＳによってスマートフォンのミドルフレームまたはバックシェルにメッキされることができ、本開示の実施例は、これに限定されない。
【００２６】
本開示の実施例において、導電性シートは、グランド給電点及び第２の給電点にそれぞれ接続される。このようにして、グランド給電点を流れる信号と第２の給電点を流れる信号が導電性シートを共用することを実現することができる。
【００２７】
上記の導電性シートは、金属または合金などの材料で構成された導電体である。当該導電性シートは、導電性弾性片を含むが、これに限定されない。ここの導電性弾性片は、金属シートまたは合金シートを折り曲げることによって形成される一定の弾性を有する導電性シートである。このようにして、導電性弾性片を第１の放射体に接続することによって、導電性弾性片自体の弾性を使用して接続を維持して、接続の信頼性を向上させ、当該アンテナモジュールを備える端末機器の姿勢の変化または落下による、アンテナモジュールが無線信号を送受信することは不安定である情況を低減する。
【００２８】
上記のグランド給電点は、アンテナモジュールの接地点である。アンテナモジュールにおける第１の放射体の高周波電流は、導電性シートとグランド給電点を介して地面に逆流する。
【００２９】
上記の第１の給電点及び第２の給電点は、いずれも電気信号の給電点であり、グランド給電点と区別する信号給電点である。
【００３０】
上記の第１の給電点と第２の給電点は離間して設置され、当該第１の給電点と第２の給電点は異なる周波数帯域を送信する給電点である。例えば、第１の給電点はＧＰＳ  Ｌ５周波数帯域における周波数を送信する給電点であり、第２の給電点はＳｕｂー６ＧＨｚ周波数帯域における周波数を送信する給電点であり、または、第１の給電点は２ＧＨｚ周波数帯域における周波数を送信する給電点であり、第２の給電点はＳｕｂー６ＧＨｚ周波数帯域における周波数を送信する給電点であり、本開示の実施例は、これに限定されない。
【００３１】
なお、上記の第１の給電点及び第２の給電点は、端末機器のミドルフレームに設置されることもでき、給電線によって端末機器における回路基板に設置された無線周波数フロントエンドコンポーネントに接続され、本開示の実施例は、これに限定されない。
【００３２】
本開示の実施例において、第１の給電点、第１の放射体、導電性シート、およびグランド給電点が組み合わされて、第１の周波数帯域の無線信号を放射および受信するための経路を形成する。つまり、第１の給電点、第１の放射体、導電性シート、およびグランド給電点によって第１のアンテナを形成することができる。当該第１のアンテナは、第１の周波数帯域の無線信号を放射および受信することに用いられる。当該第１のアンテナのグランドリターン経路は、第１の給電点が高周波電流を第１の放射体に送信し、第１の放射体が高周波電流を導電性シートに送信し、導電性シートによって高周波電流をグランド給電点に送信することであり、高周波電流が地面に逆流することを実現する。
【００３３】
例示的に、上記の第１の周波数帯域は、Ｎ４１に対応する２５１５ＭＨｚ〜２６７５ＭＨｚ周波数帯域、Ｎ７８に対応する３４００ＭＨｚ〜３６００ＭＨｚ周波数帯域、またはＮ７９に対応する４８００ＭＨｚ〜４９００ＭＨｚ周波数帯域を含むことができ、本開示の実施例は、これに限定されない。
【００３４】
本開示の実施例において、第２の給電点、導電性シート、および第１の放射体が組み合わされて、第２の周波数帯域の無線信号を放射および受信するための経路を形成する。つまり、第２の給電点、導電性シート、および第１の放射体によって第２のアンテナを形成することができる。当該第２のアンテナは、第２の周波数帯域の無線信号を放射および受信することに用いられる。当該第２のアンテナの放射経路は、第２の給電点が導電性シートによって高周波電流を第１の放射体に送信し、当該第１の放射体が高周波電流の励起下で第２の周波数帯域の無線信号を放射することであり、アンテナモジュールの第１の放射体が、第１の周波数帯域の無線信号を放射および受信することができるだけでなく、第２の周波数帯域の無線信号を放射および受信することもできることを実現する。
【００３５】
なお、第２の給電点は、複数であってもよく、複数の異なる第２の給電点はグランド給電点とは異なる位置で導電性シートに接続される。当該複数の給電点、導電性シート及び第１の放射体が組み合わされて複数の異なる経路を取得することができる。当該複数の異なる経路は、複数の第２の周波数帯域の無線信号を放射することができる。例えば、複数の異なる第２の給電点は、２つの異なる第２の給電点を含む。一つの第２の給電点に対応する一つの経路は、第２の周波数帯域におけるＡサブ周波数帯域の無線信号を放射し、もう一つの第２の給電点に対応するもう一つの経路は、第２の周波数帯域におけるＢサブ周波数帯域の無線信号を放射する。ここで、Ａサブ周波数帯域はＢサブ周波数帯域とは異なる。
【００３６】
例示的に、第２の周波数は、Ｓｕｂー６ＧＨｚに対応する４５０ＭＨｚ〜６０００ＭＨｚ周波数帯域であってもよい。
【００３７】
なお、本開示の実施例において、第１の給電点、第１の放射体、導電性シート、およびグランド給電点が組み合わされて、第１の周波数帯域の無線信号を放射および受信するための経路を形成し、第２の給電点、第１の放射体、および導電性シートが組み合わされて、第２の周波数帯域の無線信号を放射および受信するための経路を形成する。つまり、異なる周波数帯域に対応する経路は、導電性シート及び第１の放射体を共用する。このようにして、本開示の実施例は、導電性シートに接続される第２の給電点を増加するだけで、アンテナモジュールが、第１の周波数帯域の無線信号を放射および受信するうえで、第２の周波数帯域の無線信号も放射および受信できることを実現することができ、導電性シート及び第１の放射体を共用することによって、アンテナモジュールが異なる周波数帯域の無線信号を同時に送受信するニーズを実現することができる。同時に、本開示の実施例は、第１の放射体及び導電性シートを共用することによって、第１の周波数帯域に対応する第１の放射体及び第２の周波数帯域に対応する第１の放射体をそれぞれ設置する必要がなく、第１の放射体の設置数を減少させ、アンテナモジュールが端末機器を占めるスペースを低減し、端末機器のスペース利用率を向上させる。
【００３８】
いくつかの実施例において、図２に示すように、アンテナモジュールは、第１の放射体１０１ａとの間にギャップ１０６を有し、第１の放射体１０１ａと結合される少なくとも１つの第２の放射体１０１ｂをさらに含む。
【００３９】
本開示の実施例において、第２の放射体は、１つまたは複数であってもよく、当該１つまたは複数の第２の放射体は、いずれも第１の放射体との間にギャップを有し、第１の放射体と結合される。
【００４０】
なお、第２の放射体が１つである場合、当該第２の放射体が第１の放射体との間にギャップを有することは、第２の放射体と第１の放射体とが並列設置され、第１の放射体と第２の放射体との間にギャップを有することを含む。
【００４１】
第２の放射体が２つである場合、当該２つの第２の放射体がそれぞれ第１の放射体との間にギャップを有することは、２つの第２の放射体が、それぞれ第１の放射体の反対する両側に間隔を置いて設置され、または、２つの第２の放射体が、それぞれ第１の放射体の隣接する両側に間隔を置いて設置されることを含む。
【００４２】
本開示の実施例において、第１の放射体と第２の放射体の間に有するギャップの数は、第２の放射体の数に等しい。例えば、放射体構造は２つの第２の放射体を含み、当該第２の放射体は第１の放射体との間に２つのギャップを有する。
【００４３】
いくつかの実施例において、複数の第２の放射体が第１の放射体の同じ側に位置する場合、複数の第２の放射体と第１の放射体との間に同じギャップが置かれており、当該ギャップは共通ギャップであり、共通ギャップの長さは、単一の１つの第２の放射体と第１の放射体との間のギャップより大きくすることができる。
【００４４】
なお、複数の第２の放射体と第１の放射体とで形成された複数のギャップの幅は、すべて等しくても等しくなくてもよく、本開示の実施例は、これに限定されない。
【００４５】
例示的に、上記のギャップの幅は、０．５ミリメートル〜０．２ミリメートルの範囲に設定されてもよく、本開示の実施例は、これに限定されない。
【００４６】
本開示の実施例において、第１の放射体は第２の放射体と結合され、当該結合プロセスは、第１の放射体が交流電流を交流磁場に変換する場合、第２の放射体が交流磁場の作用下で交流電流を生成でき、当該交流電流に基づいて交流磁場を生成でき、第２の放射体は第１の放射体と一緒に無線信号を送受信することができる。
【００４７】
なお、本開示の実施例は、第１の周波数帯域の無線信号及び第２の周波数帯域の無線信号を放射及び受信するときに、第１の放射体、第２の放射体及びギャップを共用し、ギャップの数、第１の放射体及び第２の放射体を増加せずに、放射する第２の周波数帯域を増加することができる。また、本開示の実施例は、第１の放射体と複数の第２の放射体が一緒に無線信号を送受信するによって、無線信号の送受信電力を増加できるだけでなく、無線信号の放射面積を増加することもでき、無線信号の送受信効率及び通信品質を向上させる。
【００４８】
いくつかの実施例において、図３に示すように、アンテナモジュールは、第１の給電点１０４に接続され、第１の周波数帯域の無線信号を通過させ、第２の周波数帯域の無線信号をフィルタして除去するための第１のフィルタネットワーク１０７をさらに含む。
【００４９】
本開示の実施例において、第１の給電点と第２の給電点が放射体を共用して無線信号を同時に送受信するプロセスにおいて、第２の周波数帯域の無線信号は、第１の給電点に対応する第１の無線周波数フロントエンドコンポーネントに影響を与える。これに基づいて、本開示の実施例は第１のフィルタネットワークを設置して、第１のフィルタネットワークが第１の周波数帯域の無線信号を通過させ、第２の周波数帯域の無線信号をフィルタして除去する。このようにして、アンテナモジュールが第１の周波数帯域の無線信号を送受信することに対する第２の周波数帯域の無線信号の影響を低減することができ、アンテナモジュールが無線信号の同時送受信をより適切に実現できるようにする。
【００５０】
上記の第１のフィルタネットワークが第２の周波数帯域の無線信号をフィルタして除去することは、第１のフィルタネットワークが、第２の周波数帯域の無線信号を地面に分離することを含む。
【００５１】
いくつかの実施例において、図３に示すように、第１のフィルタネットワーク１０７は、第１の給電点１０４に直列接続される第１のインダクタ１０７ａと、第１の給電点１０４に並列接続される第１のコンデンサ１０７ｂと、を含む。
【００５２】
本開示の実施例において、第１のフィルタネットワークは、インダクタとコンデンサとで構成されることに加えて、回路内の不要な周波数の信号を除去するためのノッチフィルタで構成されることもできる。
【００５３】
いくつかの実施例において、第１のインダクタのインダクタンス値及び第１のコンデンサの容量値は、第１の周波数帯域の無線信号に基づいて決定される。
【００５４】
本開示の実施例において、第１の周波数帯域の無線信号が第２の周波数帯域の無線信号より小さい場合、第１のフィルタネットワークを、第１の周波数帯域の無線信号よりも高い無線信号をフィルタして除去するローパスフィルタネットワークとして設置することができる。
【００５５】
例示的に、第１のフィルタネットワークが、３．５ＧＨｚ無線信号より高い無線信号をフィルタして除去するローパスフィルタネットワークである場合、第１のインダクタのインダクタンス値は、１ナノヘンリ（ｎｈ）に設定されることができ、第１のコンデンサの容量値は、２ピコファラッド（ｐｆ）に設定されることができる。
【００５６】
いくつかの実施例において、図３に示すように、アンテナモジュールは、第２の給電点１０５に接続され、第２の周波数帯域の無線信号を通過させ、第１の周波数帯域の無線信号をフィルタして除去するための第２のフィルタネットワーク１０８をさらに含む。
【００５７】
本開示の実施例において、第１の給電点と第２の給電点が放射体を共用して無線信号を同時に送受信するプロセスにおいて、第１の周波数帯域の無線信号は、第２の給電点に対応する第２の無線周波数フロントエンドコンポーネントに影響を与える。これに基づいて、本開示の実施例は、第２のフィルタネットワークを設置して、第２のフィルタネットワークが第２の周波数帯域の無線信号を通過させ、第１の周波数帯域の無線信号をフィルタして除去する。このようにして、アンテナモジュールが第２の周波数帯域の無線信号を送受信することに対する第１の周波数帯域の無線信号の影響を低減することができ、アンテナモジュールが無線信号の同時送受信をより適切に実現できるようにする。
【００５８】
上記の第２のフィルタネットワークが第１の周波数帯域の無線信号をフィルタして除去することは、第２のフィルタネットワークが、第１の周波数帯域の無線信号を地面に分離することを含む。
【００５９】
いくつかの実施例において、図３に示すように、第２のフィルタネットワーク１０８は、第２のコンデンサ１０８ａと、第３のコンデンサ１０８ｂと、第２のインダクタ１０８ｃと、を含み、第２のコンデンサ１０８ａは第２の給電点１０５に接続され、第３のコンデンサ１０８ｂは第２のインダクタ１０８ｃと第２のコンデンサ１０８ａとの間に接続される。
【００６０】
本開示の実施例において、第２のフィルタネットワークは、インダクタとコンデンサとで構成されることに加えて、回路内の不要な周波数の信号を除去するためのノッチフィルタで構成されることもできる。
【００６１】
いくつかの実施例において、第２のコンデンサの容量値、第３のコンデンサの容量値及び第２のインダクタのインダクタンス値は、第２の周波数帯域の無線信号に基づいて決定される。
【００６２】
本開示の実施例において、第１の周波数帯域の無線信号が第２の周波数帯域の無線信号より小さい場合、第２のフィルタネットワークを、第１の周波数帯域の無線信号よりも低い無線信号をフィルタして除去するハイパスフィルタネットワークとして設置することができる。
【００６３】
例示的に、第２のフィルタネットワークが、３．５ＧＨｚ無線信号より低い無線信号をフィルタして除去するハイパスフィルタネットワークである場合、第２のインダクタのインダクタンス値は、３３ナノヘンリ（ｎｈ）に設定されることができ、第２のコンデンサの容量値と第３のコンデンサの容量値は、０．５ピコファラッド（ｐｆ）に設定されることができる。
【００６４】
本開示の実施例において、上記の第１のフィルタネットワークと第２のフィルタネットワークは、いずれもＬ型ハイパスフィルタであってもよく、本開示の実施例は、これに限定されない。
【００６５】
いくつかの実施例において、図３に示すように、アンテナモジュールは、第１のフィルタネットワーク１０７に接続される第１のインピーダンスマッチングネットワーク１１０と、第２のフィルタネットワーク１０８に接続される第２のインピーダンスマッチングネットワーク１１１と、をさらに含み、第１のインピーダンスマッチングネットワーク１１０と第２のインピーダンスマッチングネットワーク１１１は、いずれもインピーダンスマッチングに用いられる。
【００６６】
なお、第１の給電点に対応する第１の無線周波数フロントエンドコンポーネントの出力インピーダンスが５０オームである場合、第１のインピーダンスマッチングネットワークは、スミスチャート（Ｓｍｉｔｈ  ｃｈａｒｔ）マッチング素子を使用して、第１の周波数帯域のインピーダンスをスミスチャートにおける５０オーム領域の付近にマッチングすることができる。このようにして、第１の無線周波数フロントエンドコンポーネントで発生されたエネルギが第１の放射体及び第２の放射体によって最大限に放射されることを実現することができる。
【００６７】
第２の給電点に対応する第２の無線周波数フロントエンドコンポーネントの出力インピーダンスが５０オームである場合、第２のインピーダンスマッチングネットワークも、Ｓｍｉｔｈ  ｃｈａｒｔマッチング素子を使用して、第２の周波数帯域のインピーダンスをスミスチャートにおける５０オーム領域の付近にマッチングすることができる。このようにして、第２の無線周波数フロントエンドコンポーネントで発生されたエネルギが第１の放射体及び第２の放射体によって最大限に放射されることを実現することができる。
【００６８】
本開示の実施例において、第１のインピーダンスマッチングネットワークと第２のインピーダンスマッチングネットワークは、いずれもインダクタ及び／又はコンデンサで構成されることができる。例示的に、図３に示すように、第３のインダクタを並列接続することによって第１のインピーダンスマッチングネットワークを構成し、第４のインダクタを直列接続することによって第２のインピーダンスマッチングネットワークを構成することができる。
【００６９】
ここで、第３のインダクタのインダクタンス値は、第１の周波数帯域の無線信号に基づいて決定され、第４のインダクタのインダクタンス値は、第２の周波数帯域の無線信号に基づいて決定される。つまり、第１の周波数帯域が異なると、第３のインダクタのインダクタンス値が異なり、第２の周波数帯域が異なると、第４のインダクタのインダクタンス値が異なる。例えば、第３のインダクタのインダクタンス値は、３ｎｈに設定されることができ、第４のインダクタのインダクタンス値は、１ｎｈに設定されることができ、本開示の実施例は、これに限定されない。
【００７０】
本開示の実施例において、第１の給電点、導電性シート、第１の放射体、およびグランド給電点によって第１のアンテナが形成され、当該第１のアンテナは、第１の周波数帯域の無線信号を放射および受信することに用いられる。第２の給電点、導電性シート、および第１の放射体によって第２のアンテナが形成され、当該第２のアンテナは、第２の周波数帯域の無線信号を放射および受信することに用いられる。図４に示すように、それは第１のフィルタネットワーク及び第２のフィルタネットワークを追加した後のアンテナモジュールにおける第１のアンテナ及び第２のアンテナのリターンロスの概略曲線である。アンテナモジュールが３．５ＧＨｚを超える周波数の無線信号を放射および受信する場合、第１のアンテナのリターンロスは０に近くなり、３．５ＧＨｚ未満の周波数の無線信号を放射および受信する場合、第２のアンテナのリターンロスは０に近くなる。これから分かるように、第１のアンテナにおける３．５ＧＨｚを超える周波数の無線信号が、第１のフィルタネットワークによってフィルタして除去され、第２のアンテナにおける３．５ＧＨｚ未満の周波数の無線信号が、第２のフィルタネットワークによってフィルタして除去され、アンテナモジュールが無線信号の同時送受信をより適切に実現できるようにする。
【００７１】
いくつかの実施例において、図３に示すように、アンテナモジュールは、グランド給電点に接続される同調コンポーネント１０９をさらに含み、同調コンポーネントは、スイッチ部材を含み、スイッチ部材がオン状態とオフ状態にある場合、同調コンポーネントは異なるインピーダンスを有し、アンテナモジュールは、異なるインピーダンスに応じて第１の周波数帯域における異なるサブ周波数帯域の無線信号を送受信する。
【００７２】
本開示の実施例において、当該同調コンポーネントは、スイッチ部材及び／又はインピーダンス部材を含むことができ、当該インピーダンス部材はインダクタ、コンデンサ、または抵抗器を含むがこれらに限定されなく、本開示の実施例は、これに限定されない。
【００７３】
本開示の実施例において、第１の給電点、導電性シート、第１の放射体、およびグランド給電点によって第１のアンテナが形成される。同調コンポーネントにおけるスイッチ部材がオン状態であるのは第１のアンテナの第１の状態である。同調コンポーネントにおけるスイッチ部材がオフ状態であるのは第１のアンテナの第２の状態である。
【００７４】
なお、第１の状態で第１のアンテナは接地されておらず、第２の状態で第１のアンテナは接地される。第１のアンテナが第１の状態から第２の状態に切り替わる場合、第１のアンテナは第１の周波数帯域における第１のサブ周波数帯域を放射及び受信することから、第１の周波数帯域における第２のサブ周波数帯域を放射及び受信することに切り替わる。ここで、第１のサブ周波数帯域の中心周波数は第２のサブ周波数帯域の中心周波数より小さい。例えば、第１のアンテナが第１の状態から第２の状態に切り替わる場合、第１のアンテナは第１の周波数帯域における０．６５７３７ＧＨｚの周波数の無線信号を放射することから、第１の周波数帯域における０．７３７６９ＧＨｚの周波数の無線信号を放射することに切り替わる。
【００７５】
本開示の実施例において、当該同調コンポーネントは、スイッチ部材に接続されるインダクタをさらに含む。当該インダクタは実際のニーズに応じて設定されることができる。例えば、当該インダクタは２０ｎｈに設定されることができる。例示的に、図５に示すように、グランド給電点はインダクタによって接地され、当該第１のアンテナは第１の周波数帯域における０．６５７３７ＧＨｚの無線信号を放射及び受信することから、第１の周波数帯域における０．７３７６９ＧＨｚの無線信号を放射及び受信することに切り替わり、第１の周波数帯域における異なるサブ周波数帯域間の切り替えを実現することができる。
【００７６】
なお、同調コンポーネントによって、アンテナモジュールが第１の周波数帯域における異なるサブ周波数帯域の無線信号を送受信することができる。このようにして、アンテナモジュールで送受信されるサブ周波数帯域の数を向上させ、アンテナモジュールがより多くのサブ周波数帯域をカバーするようにすることができる。
【００７７】
本開示の実施例は、上記の１つまたは複数の実施例におけるアンテナモジュールを含む端末機器をさらに提供する。
【００７８】
上記の端末機器は、モバイル端末およびウェアラブル電子機器であってもよく、当該モバイル端末は、携帯電話と、ラップトップと、タブレットとを含み、当該ウェアラブル電子機器はスマートウォッチを含み、本開示の実施例は、これに限定されない。
【００７９】
なお、第１の給電点、第１の放射体、導電性シート、およびグランド給電点が組み合わされて、第１の周波数帯域の無線信号を放射および受信するための経路を形成し、第２の給電点、第１の放射体、および導電性シートが組み合わされて、第２の周波数帯域の無線信号を放射および受信するための経路を形成する。つまり、異なる周波数帯域に対応する経路は導電性シート及び第１の放射体を共用する。このようにして、本開示の実施例は、導電性シートに接続される第２の給電点を増加するだけで、アンテナモジュールが、第１の周波数帯域の無線信号を放射および受信するうえに、第２の周波数帯域の無線信号も放射および受信できることを実現することができ、導電性シート及び第１の放射体を共用することによって、アンテナモジュールが異なる周波数帯域の無線信号を同時に送受信するニーズを実現することができる。また、本開示の実施例は、第１の放射体及び導電性シートを共用することによって、第１の周波数帯域に対応する放射体及び第２の周波数帯域に対応する放射体をそれぞれ設置する必要がなく、放射体の設置数を減少させ、アンテナモジュールが端末機器を占めるスペースを低減し、端末機器のスペース利用率を向上させる。
【００８０】
いくつかの実施例において、アンテナモジュールは、第１の放射体と第２の放射体とを含み、端末機器は、フレームをさらに含み、第１の放射体と第２の放射体は、フレームの同じエッジの異なる部分であり、または、第１の放射体と第２の放射体は、それぞれフレームの異なるエッジの部分である。
【００８１】
上記のフレームは、金属、合金材料、または導電性プラスチックによって形成された導電機能を有するフレームであってもよい。
【００８２】
上記のフレームの形状は、ユーザのニーズに応じて設置されることができる。例えば、端末機器のフレームを、長方形のシェルに設置することができ、本開示の実施例は、これに限定されない。
【００８３】
本開示の実施例において、第１の放射体と第２の放射体が、フレームの同じエッジの異なる部分であることは、フレームの形状が長方形形状である場合、第１の放射体と第２の放射体は、フレームの短辺の異なる部分であってもよく、フレームの長辺の異なる部分であってもよいことを含み、本開示の実施例は、これに限定されない。
【００８４】
第１の放射体と第２の放射体が、それぞれフレームの異なるエッジの部分であることは、第１の放射体と第２の放射体が、それぞれフレームにおける隣接するエッジの部分であってもよいことを含む。例えば、フレームの形状が長方形形状である場合、第１の放射体が、フレームの長辺の部分であり、第２の放射体が、フレームの短辺の部分に位置することができ、または、第１の放射体が、フレームの短辺の部分であり、第２の放射体が、フレームの長辺の部分に位置することができ、本開示の実施例は、これに限定されない。
【００８５】
なお、本開示の実施例は、フレームをアンテナモジュールの第１の放射体及び第２の放射体として直接使用し、別に放射体を設置したためアンテナモジュールが端末機器のスペースを大きく占めるという問題を解決することができ、アンテナモジュールが端末機器を占めるスペースをさらに低減することができ、端末機器のスペース利用率を向上させる。
【００８６】
いくつかの実施例において、第１の放射体と第２の放射体に対応する異なる部分のフレームの間にギャップを有する。
【００８７】
本開示の実施例において、第１の放射体と第２の放射体が、フレームの同じエッジの異なる部分である場合、当該ギャップは同じエッジに設置される。第１の放射体と第２の放射体が、フレームの異なるエッジの部分である場合、当該ギャップは異なるエッジの間に設置されることができる。
【００８８】
なお、アンテナモジュールは異なる周波数帯域の無線信号を放射および受信する場合、導電性シート、第１の放射体及び第２の放射体を共用するだけでなく、第１の放射体と第２の放射体との間のギャップも共用することができ、当該ギャップによって異なる周波数帯域の無線信号を放射する。
【００８９】
なお、本開示の実施例における「第１の」及び「第２の」は表現と区別の便宜のためのものであり、他の特定の意味はない。
【００９０】
図６は、例示的な一実施例によって示される端末機器のブロック図である。例えば、端末機器は、携帯電話、コンピュータ、デジタル放送端末、メッセージング機器、ゲームコンソール、タブレットデバイス、医療機器、フィットネス機器、携帯情報端末などであってもよい。
【００９１】
図６を参照し、端末機器は、処理コンポーネント８０２、メモリ８０４、電源コンポーネント８０６、マルチメディアコンポーネント８０８、オーディオコンポーネント８１０、入力/出力（Ｉ/Ｏ）インターフェイス８１２、センサコンポーネント８１４、及び通信コンポーネント８１６のうちの１つ又は複数のコンポーネントを含むことができる。
【００９２】
処理コンポーネント８０２は、通常、端末機器の全体の操作、例えば、表示、電話の呼び出し、データ通信、カメラ操作、及び記録操作に関連する操作を制御する。処理コンポーネント８０２は、上記方法の実施例における全部又は一部のステップを完成するために、命令を実行する１つ又は複数のプロセッサ８２０を含むことができる。また、処理コンポーネント８０２は、処理コンポーネント８０２と他のコンポーネントとの間のインタラクションを容易にするように、１つ又は複数のモジュールを含むことができる。例えば、処理コンポーネント８０２は、マルチメディアコンポーネント８０８と処理コンポーネント８０２との間のインタラクションを容易にするように、マルチメディアモジュールを含むことができる。
【００９３】
メモリ８０４は、端末機器での操作をサポートするように、さまざまな種類のデータを記憶するように構成される。これらのデータの例は、端末機器で操作するためのあらゆるアプリケーションプログラム又は方法の命令、連絡先データ、電話帳データ、メッセージ、画像、及びビデオなどを含む。メモリ８０４は、スタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラム可能な読み出し専用メモリ（ＰＲＯＭ）、読み出し専用メモリ（ＲＯＭ）、磁気メモリ、フラッシュメモリ、磁気ディスク又は光ディスクのような、あらゆる種類の揮発性又は不揮発性記憶装置又はそれらの組合せによって実現することができる。
【００９４】
電源コンポーネント８０６は、端末機器の各種類のコンポーネントに電力を提供する。電源コンポーネント８０６は、電源管理システムと、１つ又は複数の電源と、端末機器の電力の生成、管理及び配分に関連する他のコンポーネントとを含んでもよい。
【００９５】
マルチメディアコンポーネント８０８は、端末機器とユーザとの間に１つの出力インターフェースを提供するスクリーンを含む。一部の実施例において、スクリーンは、液晶ディスプレイ（LＣＤ）とタッチパネル（TP）とを含んでもよい。スクリーンがタッチパネルを含む場合、スクリーンは、ユーザからの入力信号を受信するように、タッチスクリーンとして実現することができる。タッチパネルは、タッチ、スライド、及びタッチパネルにおけるジェスチャを感知するように、１つ又は複数のタッチセンサを含む。タッチセンサは、タッチ又はスライド動作の境界を感知するだけでなく、タッチ又はスライド操作に関する継続時間及び圧力を感知することができる。一部の実施例において、マルチメディアコンポーネント８０８は、フロントカメラ及び/又はリアカメラを含む。端末機器が操作モードにあり、例えば、撮影モード又はビデオモードにある場合、フロントカメラ及び/又はリアカメラは、外部のマルチメディアのデータを受信することができる。各フロントカメラ及びリアカメラは、１つの固定的な光学レンズシステムであってもよく、又は焦点距離と光学ズーム機能を備えてもよい。
【００９６】
オーディオコンポーネント８１０は、オーディオ信号を出力及び/又は入力するように構成される。例えば、オーディオコンポーネント８１０は、１つのマイク（ＭＩＣ）を含む。端末機器が操作モード、例えば、呼び出しモード、記録モード及び音声認識モードにある場合、マイクは、外部のオーディオ信号を受信するように構成される。受信されたオーディオ信号は、さらにメモリ８０４に記憶されるか、又は通信コンポーネント８１６を介して送信される。一部の実施例において、オーディオコンポーネント８１０は、オーディオ信号を出力するための１つのスピーカをさらに含む。
【００９７】
Ｉ/Ｏインターフェース８１２は、処理コンポーネント８０２と周辺インターフェースモジュールとの間にインターフェースを提供する。上記周辺インターフェースモジュールは、キーボード、クリックホイール、ボタンなどであってもよい。これらのボタンは、ホームボタン、音量ボタン、開始ボタン、及びロックボタンなどを含むが、これらに限定されない。
【００９８】
センサコンポーネント８１４は、各側面の状態評価を端末機器に提供するように、１つ又は複数のセンサを含む。例えば、センサコンポーネント８１４は、端末機器のオン/オフ状態、及びコンポーネントの相対的位置決めを検出することができ、例えば、コンポーネントが端末機器のディスプレイ及びキーパッドである。センサコンポーネント８１４は、さらに、端末機器又は端末機器の１つのコンポーネントの位置変化、ユーザと端末機器との接触が存在するか否か、端末機器の向きと位置又は加速/減速、及び端末機器の温度変化を検出することができる。センサコンポーネント８１４は、いずれの物理的接触がない時に近くの物体の存在を検出するように構成される近接センサを含むことができる。センサコンポーネント８１４は、光センサ、例えば、イメージングアプリケーションに使用されるＣＭＯＳ又はＣＣＤ画像センサをさらに含むことができる。一部の実施例において、該センサコンポーネント８１４は、加速度センサ、ジャイロセンサ、磁気センサ、圧力センサ、又は温度センサを含むことができる。
【００９９】
通信コンポーネント８１６は、端末機器と他の装置との間の有線又は無線通信を容易にするように構成される。端末機器は、例えば、ＷｉＦｉ、２Ｇ又は３Ｇ、又はそれらの組み合わせなどの通信規格に基づいた無線ネットワークにアクセスすることができる。例示的な一実施例において、通信コンポーネント８１６は、ブロードキャストチャネルを介して外部ブロードキャスト管理システムからのブロードキャスト信号又はブロードキャスト関連情報を受信する。例示的な一実施例において、通信コンポーネント８１６は、近距離通信を促進するように、近距離通信（ＮＦＣ）モジュールをさらに含む。例えば、ＮＦＣモジュールは、無線周波数認識（ＲＦＩＤ）技術、赤外線データ協会（ＩｒＤＡ）技術、超広帯域無線（ＵＷＢ）技術、ブルートゥース（ＢＴ：登録商標）技術、及び他の技術に基づいて、実現することができる。
【０１００】
例示的な実施例において、端末機器は、上記方法を実行するように、１つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ、又は他の電子部品によって具現化することができる。
【０１０１】
当業者は明細書を考慮し、および明細書に開示された内容を実施すると、本開示の他の実施形態に容易に想到し得る。本開示は本開示のあらゆる変形、用途または適応的変化をカバーすることを意図しており、これらの変形、用途または適応的変化は本開示の一般原則に従い、本開示に開示されていない本技術分野における周知技術または慣用されている技術手段を含む。明細書および実施例は例示のみとして見なされ、本開示の真の範囲および精神は以下の特許請求の範囲によって示される。
【０１０２】
なお、本開示は、上記に記載されかつ図面において示されている正確な構造に限定されず、その範囲から逸脱することなく、様々な修正および変更を行うことができることを理解されたい。本開示の範囲は添付の特許請求の範囲のみによって限定される。
【図１】
2022003755.tif 000003
【図２】
2022003755.tif 000004
【図３】
2022003755.tif 000005
【図４】
2022003755.tif 000006
【図５】
2022003755.tif 000007
【図６】
2022003755.tif 000008